(57)【要約】    【課題】  変倍範囲におけるレンズの位置精度が焦点距離の精度に大きく影響する部分で、レンズを高い位置精度で駆動させ、焦点距離の精度を向上する。    【解決手段】  第２レンズ２には、係合ボスが設けられて、望遠時に第３レンズ３が係合し得る。広角側から望遠側までファインダカム７を駆動するときに、広角側から望遠側の直前までは第３レンズ３のカムフォロワーは、カム面に係合しており、それに追随して移動するが、望遠側の直前にて第２レンズ群２の係合ボスと係合することによって、カム面から係合が外れることとなる。第３レンズ３が第２レンズ２の係合ボスと係合することによって、第２レンズ２と第３レンズ３との間隔は、係合ボスの高さ精度と第３レンズ３の受け面の位置精度のみに依存し、高い位置精度を保つ。【選択図】    図１
2006259395.tif 000002
【特許請求の範囲】
【請求項１】
各々少なくとも１つのレンズを有してなる１つ以上のレンズ群と、前記レンズ群を駆動するためのカムと、前記レンズ群と一体的に形成されて前記カムのカム面に係合するカムフォロアとを備え、前記レンズ群の間隔を変化させて変倍を行うズームレンズ駆動装置において、
前記カム面の変倍範囲の少なくとも一部で前記カムフォロアの係合が外れ、係合を外れたレンズ群が前記カム以外の係合部材と係合する構成を含むことを特徴とするズームレンズ駆動装置。
【請求項２】
前記係合部材は、少なくとも変倍動作時に移動しない固定部材であることを特徴とする請求項１に記載のズームレンズ駆動装置。
【請求項３】
前記係合部材は、少なくとも変倍動作時に移動する可動部材であることを特徴とする請求項１に記載のズームレンズ駆動装置。
【請求項４】
前記係合部材は、前記係合が外れるレンズ群とは異なる他のレンズ群と一体に構成された部材であることを特徴とする請求項１〜請求項３のいずれか１項に記載のズームレンズ駆動装置。
【請求項５】
前記他のレンズ群は、前記係合が外れるレンズ群に隣接するレンズ群であることを特徴とする請求項４に記載のズームレンズ駆動装置。
【請求項６】
前記カムフォロアの係合が外れる範囲は、前記係合が外れるレンズ群が前記係合部材と最も接近する範囲としたことを特徴とする請求項１〜請求項５のいずれか１項に記載のズームレンズ駆動装置。
【請求項７】
前記カムフォロアの係合が外れる範囲は、広角端近傍および望遠端近傍のいずれか一方であることを特徴とする請求項１〜請求項６のいずれか１項に記載のズームレンズ駆動装置。
【請求項８】
前記係合が外れるレンズ群のカムフォロアと前記隣接するレンズ群のカムフォロアの間に、それぞれのレンズ群を駆動する前記カム面を有するとともに、
前記係合が外れるレンズ群と前記隣接するレンズ群を、第１の弾性部材によって、お互いに引張り合うようにして前記カム面に向かって付勢し、且つ
前記係合が外れるレンズ群のカムフォロアの係合が外れる範囲で、第２の弾性部材によって、前記隣接するレンズ群のカムフォロワを前記カム面に向かって付勢する
ことを特徴とする請求項５〜請求項７のいずれか１項に記載のズームレンズ駆動装置。
【請求項９】
請求項１〜請求項８のいずれか１項のズームレンズ駆動装置と、
撮像素子と、
を具備することを特徴とするズームレンズ撮像装置。
【請求項１０】
請求項１〜請求項８のいずれか１項のズームレンズ駆動装置を少なくとも１つ用いてなることを特徴とするファインダ。
【請求項１１】
請求項１〜請求項８のいずれか１項のズームレンズ駆動装置、請求項９のズームレンズ撮像装置、および請求項１０のファインダの少なくとも一部を具備することを特徴とするカメラ。
【請求項１２】
請求項１〜請求項８のいずれか１項のズームレンズ駆動装置の制御方法において、
前記ズームレンズ駆動装置は、変倍範囲のうち、分割された複数の点でのみ止まるように制御されるズームレンズ駆動装置であって、
前記カムフォロアの係合が外れる部分では止まることがないように制御されることを特徴とするズームレンズ駆動装置の制御方法。
【発明の詳細な説明】
【技術分野】
【０００１】
本発明は、ズームレンズの駆動制御に係り、特にレンズの位置精度を高め得るズームレンズ駆動装置、ズームレンズ撮像装置、ファインダ、カメラおよびズームレンズ制御装置の制御方法に関するものである。
【背景技術】
【０００２】
近年においては、カメラ、特にディジタルカメラの小型化に伴いズームレンズ鏡胴の小型化が急速に進んでいる。また、ズーム倍率についても、３倍以上の高変倍ズームレンズ鏡胴が用いられるようになってきている。ズームレンズ鏡胴は、通常の場合、高精度のカム面を持つカム筒にレンズ群のカムフォロアを係合させることによって、ズーミングに伴って移動するレンズ位置を高精度に保つ構成となっている。
従来の撮像用ズームレンズは、例えば、特許文献１（特開平９−２０３８４２号）に開示されているように、小型化のために何段ものカム筒や筒状のヘリコイドを組合せてレンズ群を駆動し、収納時には半径方向にそれらの筒が重なるように配置することで、全長を短縮する沈胴構造を採用している。また、このような撮像用ズームレンズの小型化に伴って、撮像用レンズと連動して駆動する光学ファインダにおけるレンズ系も撮像用レンズと同様に高変倍化および小型化が必要になってきている。光学ファインダの場合には、撮像用レンズよりも狭いスペース内に配置されているため、撮像用レンズのような沈胴構造は採用しにくい。従来の光学ファインダは、例えば特許文献２（特許第２７７５０５４号）に示されるようにカム筒に形成されたカム面にレンズを保持するレンズ枠のカムフォロアをスプリング等の弾性部材で付勢偏倚させつつ係合させ、レンズ位置を保つようにする構成が用いられることが多い。
【０００３】
また、例えば、特許文献３（特許第３３４２４８０号）には、ズーミング用のカム溝と沈胴用のカム溝とを連続的に配設してカム溝を形成し、このカム溝にカムフォロワが係合摺接するレンズ鏡筒の構成が示されている。例えば特許文献４（特開２０００−１８０９２１号）には、回転カム筒の外側に直進ガイド溝を設け、各レンズと一体的に動作するカムフォロワがカム筒のカム溝を貫通して前記直進ガイド溝に係合する構成とし、カムフォロワはカム溝に係合摺接すると同時に前記直進ガイド溝にも係合摺接し、各レンズが動作時に光軸に直交する方向にガタついて光軸からずれるのを防止する光学ファインダの構成が示されている。また、例えば、特許文献５（特開２００３−７５７１１号）には、レンズ繰り出しに係るカム構造において、複数のレンズ群を異なる繰り出し動作で移動させるためのカム溝とカムフォロワの相対位置をズーミング動作時に規制する構成とすることにより、ズーミング動作時には一体的に移動させ沈胴時には各別に移動させることが示されている。
【０００４】
上述したように、高変倍化、小型化のためレンズ位置精度に対する要求が非常に高くなっている。一般的なカムフォロアに係合する方法であると、駆動するレンズのそれぞれの位置はカム面の精度に依存する。それぞれのレンズ群を駆動するカム面は独立しているため、カム面精度の和がレンズ間隔のズレ量となり、焦点距離の誤差となる。
先に挙げた、特許文献１では、第１の範囲では係合しているレンズ群のカムフォロアのカム溝に対する係合を、第２の範囲では外す構成となっている。これは、第２の範囲である収納範囲において、カム面からカムフォロワの係合を外して収納時における負荷を下げるためである。第１の範囲である変倍範囲においては、カムフォロワがカム面に付勢されて係合しており、カムの精度に依存している。このような構成では、レンズ位置およびレンズ間隔を高い精度で出すことができず焦点距離の誤差が大きくなってしまう。
【０００５】
【特許文献１】特開平９−２０３８４２号公報
【特許文献２】特許第２７７５０５４号公報
【特許文献３】特許第３３４２４８０号公報
【特許文献４】特開２０００−１８０９２１号公報
【特許文献５】特開２００３−７５７１１号公報
【発明の開示】
【発明が解決しようとする課題】
【０００６】
本発明は、上述した事情に鑑みてなされたもので、変倍範囲におけるレンズの位置精度が焦点距離の精度に大きく影響する部分で、レンズを高い位置精度で駆動させることを可能とし、焦点距離の精度を向上し得るズームレンズ駆動装置、ズームレンズ撮像装置、ファインダ、カメラおよびズームレンズ駆動装置の制御方法を提供することを目的としている。
本発明の請求項１の目的は、特に、変倍範囲の中で少なくともレンズ間隔の誤差が焦点距離の大きな誤差を招く部分で、レンズ間隔を高精度に保つことを可能とし、焦点距離の誤差を低減し得るズームレンズ駆動装置を提供することにある。
本発明の請求項２の目的は、特に、レンズ群間隔のズレ量に対する焦点距離変動が大きい範囲において、レンズ群間隔を安定に維持することを可能とするズームレンズ駆動装置を提供することにある。
本発明の請求項３の目的は、特に、変倍範囲のうちの特定範囲のみでレンズ間隔を高精度に保つことを可能とするズームレンズ駆動装置を提供することにある。
本発明の請求項４の目的は、特に、レンズ群間隔を高精度に保つことができ、焦点距離の誤差を少なくすることを可能とするズームレンズ駆動装置を提供することにある。
【０００７】
本発明の請求項５の目的は、特に、係合部がレンズと一体的であり、簡単な構成でレンズ群間隔を高精度に保つことができて、焦点距離の誤差を少なくすることを可能とするズームレンズ駆動装置を提供することにある。
本発明の請求項６の目的は、特に、簡単な構成で最接近時のレンズ間隔を高精度に保つことができ、焦点距離の誤差を少なくすることを可能とするズームレンズ駆動装置を提供することにある。
本発明の請求項７の目的は、特に、使用頻度の高い望遠位置や広角位置での焦点距離の誤差を低減し得るズームレンズ駆動装置を提供することにある。
本発明の請求項８の目的は、特に、レンズ群間隔を高い精度で保持しつつレンズ位置を安定させることを可能とするズームレンズ駆動装置を提供することにある。
本発明の請求項９の目的は、特に、焦点距離の誤差を低減し得るズームレンズ撮像装置を提供することにある。
本発明の請求項１０の目的は、特に、焦点距離の誤差を低減し得るファインダを提供することにある。
本発明の請求項１１の目的は、特に、焦点距離の誤差を低減し得るカメラを提供することにある。
本発明の請求項１２の目的は、特に、変倍範囲のうちの分割された複数の点でのみ停止するように制御されるズームレンズ駆動装置の制御方法において、レンズ位置ずれの影響を受けることが少なく、安定したレンズ駆動を可能とするズームレンズ駆動装置の制御方法を提供することにある。
【課題を解決するための手段】
【０００８】
請求項１に記載した本発明に係るズームレンズ駆動装置は、上述した目的を達成するために、
各々少なくとも１つのレンズを有してなる１つ以上のレンズ群と、前記レンズ群を駆動するためのカムと、前記レンズ群と一体的に形成されて前記カムのカム面に係合するカムフォロアとを備え、前記レンズ群の間隔を変化させて変倍を行うズームレンズ駆動装置において、
前記カム面の変倍範囲の少なくとも一部で前記カムフォロアの係合が外れ、係合を外れたレンズ群が前記カム以外の係合部材と係合する構成を含むことを特徴としている。
請求項２に記載した本発明に係るズームレンズ駆動装置は、請求項１のズームレンズ駆動装置であって、
前記係合部材が、少なくとも変倍動作時に移動しない固定部材であることを特徴としている。
請求項３に記載した本発明に係るズームレンズ駆動装置は、請求項１のズームレンズ駆動装置であって、
前記係合部材が、少なくとも変倍動作時に移動する可動部材であることを特徴としている。
【０００９】
請求項４に記載した本発明に係るズームレンズ駆動装置は、請求項１〜請求項３のいずれか１項のズームレンズ駆動装置であって、
前記係合が外れるレンズ群とは異なる他のレンズ群と一体に、前記係合部材が構成された部材であることを特徴としている。
請求項５に記載した本発明に係るズームレンズ駆動装置は、請求項４のズームレンズ駆動装置であって、
前記他のレンズ群を、前記係合が外れるレンズ群に隣接するレンズ群としたことを特徴としている。
請求項６に記載した本発明に係るズームレンズ駆動装置は、請求項１〜請求項５のいずれか１項のズームレンズ駆動装置であって、
前記カムフォロアの係合が外れる範囲を、前記係合が外れるレンズ群が前記係合部材と最も接近する範囲としたことを特徴としている。
請求項７に記載した本発明に係るズームレンズ駆動装置は、請求項１〜請求項６のいずれか１項のズームレンズ駆動装置であって、
前記カムフォロアの係合が外れる範囲が、広角端近傍および望遠端近傍のいずれか一方であることを特徴としている。
【００１０】
請求項８に記載した本発明に係るズームレンズ駆動装置は、請求項５〜請求項７のいずれか１項のズームレンズ駆動装置であって、
前記係合が外れるレンズ群のカムフォロアと前記隣接するレンズ群のカムフォロアの間に、それぞれのレンズ群を駆動する前記カム面を有するとともに、
前記係合が外れるレンズ群と前記隣接するレンズ群を、第１の弾性部材によって、お互いに引張り合うようにして前記カム面に向かって付勢し、且つ
前記係合が外れるレンズ群のカムフォロアの係合が外れる範囲で、第２の弾性部材によって、前記隣接するレンズ群のカムフォロワを前記カム面に向かって付勢する
ことを特徴としている。
請求項９に記載した本発明に係るズームレンズ撮像装置は、
請求項１〜請求項８のいずれか１項のズームレンズ駆動装置と、
撮像素子と、
を具備することを特徴としている。
請求項１０に記載した本発明に係るファインダは、
請求項１〜請求項８のいずれか１項のズームレンズ駆動装置を少なくとも１つ用いてなることを特徴としている。
【００１１】
請求項１１に記載した本発明に係るカメラは、
請求項１〜請求項８のいずれか１項のズームレンズ駆動装置、請求項９のズームレンズ撮像装置および請求項１０のファインダの少なくとも一部を具備することを特徴としている。
請求項１２に記載した本発明に係るズームレンズ駆動装置の制御方法は、
請求項１〜請求項８のいずれか１項のズームレンズ駆動装置の制御方法において、
前記ズームレンズ駆動装置は、変倍範囲のうち、分割された複数の点でのみ止まるように制御されるズームレンズ駆動装置であって、
前記カムフォロアの係合が外れる部分では止まることがないように制御されることを特徴としている。
【発明の効果】
【００１２】
本発明によれば、変倍範囲におけるレンズの位置精度が焦点距離の精度に大きく影響する部分で、レンズを高い位置精度で駆動させることを可能とし、焦点距離の精度を向上し得るズームレンズ駆動装置、ズームレンズ撮像装置、ファインダ、カメラおよびズームレンズ駆動装置の制御方法を提供することができる。
すなわち本発明の請求項１のズームレンズ駆動装置によれば、各々少なくとも１つのレンズを有してなる１つ以上のレンズ群と、前記レンズ群を駆動するためのカムと、前記レンズ群と一体的に形成されて前記カムのカム面に係合するカムフォロアとを備え、前記レンズ群の間隔を変化させて変倍を行うズームレンズ駆動装置において、前記カム面の変倍範囲の少なくとも一部で前記カムフォロアの係合が外れ、係合を外れたレンズ群が前記カム以外の係合部材と係合する構成により、特に、変倍範囲の中で少なくともレンズ間隔の誤差が焦点距離の大きな誤差を招く部分で、レンズ間隔を高精度に保つことが可能となり、焦点距離の誤差を低減することができる。
【００１３】
本発明の請求項２のズームレンズ駆動装置によれば、請求項１のズームレンズ駆動装置において、前記係合部材が、少なくとも変倍動作時に移動しない固定部材であることにより、特に、レンズ群間隔のズレ量に対する焦点距離変動が大きい範囲において、レンズ群間隔を安定に維持することが可能となる。
本発明の請求項３のズームレンズ駆動装置によれば、請求項１のズームレンズ駆動装置において、前記係合部材が、少なくとも変倍動作時に移動する可動部材であることにより、特に、変倍範囲のうちの特定範囲のみでレンズ間隔を高精度に保つことが可能となる。
本発明の請求項４のズームレンズ駆動装置によれば、請求項１〜請求項３のいずれか１項のズームレンズ駆動装置において、前記係合が外れるレンズ群とは異なる他のレンズ群と一体に、前記係合部材が構成された部材であることにより、特に、レンズ群間隔を高精度に保つことができ、焦点距離の誤差を少なくすることが可能となる。
本発明の請求項５のズームレンズ駆動装置によれば、請求項４のズームレンズ駆動装置において、前記他のレンズ群を、前記係合が外れるレンズ群に隣接するレンズ群とすることにより、特に、係合部がレンズと一体的であり、簡単な構成でレンズ群間隔を高精度に保つことができて、焦点距離の誤差を少なくすることが可能となる。
【００１４】
本発明の請求項６のズームレンズ駆動装置によれば、請求項１〜請求項５のいずれか１項のズームレンズ駆動装置において、前記カムフォロアの係合が外れる範囲を、前記係合が外れるレンズ群が前記係合部材と最も接近する範囲とすることにより、特に、簡単な構成で最接近時のレンズ間隔を高精度に保つことができ、焦点距離の誤差を少なくすることが可能となる。
本発明の請求項７のズームレンズ駆動装置によれば、請求項１〜請求項６のいずれか１項のズームレンズ駆動装置において、前記カムフォロアの係合が外れる範囲が、広角端近傍および望遠端近傍のいずれか一方であることにより、特に、使用頻度の高い望遠位置や広角位置での焦点距離の誤差を低減することができる。
本発明の請求項８のズームレンズ駆動装置によれば、請求項５〜請求項７のいずれか１項のズームレンズ駆動装置において、前記係合が外れるレンズ群のカムフォロアと前記隣接するレンズ群のカムフォロアの間に、それぞれのレンズ群を駆動する前記カム面を有するとともに、前記係合が外れるレンズ群と前記隣接するレンズ群を、第１の弾性部材によって、お互いに引張り合うようにして前記カム面に向かって付勢し、且つ前記係合が外れるレンズ群のカムフォロアの係合が外れる範囲で、第２の弾性部材によって、前記隣接するレンズ群のカムフォロワを前記カム面に向かって付勢することにより、特に、レンズ群間隔を高い精度で保持しつつレンズ位置を安定させることが可能となる。
【００１５】
本発明の請求項９のズームレンズ撮像装置によれば、請求項１〜請求項８のいずれか１項のズームレンズ駆動装置と、撮像素子とを具備することにより、特に、焦点距離の誤差を低減することができる。
本発明の請求項１０のファインダによれば、請求項１〜請求項８のいずれか１項のズームレンズ駆動装置を少なくとも１つ用いてなることにより、特に、焦点距離の誤差を低減することができる。
本発明の請求項１１のカメラによれば、請求項１〜請求項８のいずれか１項のズームレンズ駆動装置、請求項９のズームレンズ撮像装置および請求項１０のファインダの少なくとも一部を具備することにより、特に、焦点距離の誤差を低減することができる。
本発明の請求項１２のズームレンズ駆動装置の制御方法によれば、請求項１〜請求項８のいずれか１項のズームレンズ駆動装置の制御方法において、前記ズームレンズ駆動装置は、変倍範囲のうち、分割された複数の点でのみ止まるように制御されるズームレンズ駆動装置であって、前記カムフォロアの係合が外れる部分では止まることがないように制御されることにより、特に、変倍範囲のうちの分割された複数の点でのみ停止するように制御されるズームレンズ駆動装置の制御方法において、係合が外れる瞬間のレンズ位置ずれの影響を受けることが少なく、安定したレンズ駆動が可能となる。
【発明を実施するための最良の形態】
【００１６】
以下、本発明の実施の形態に基づき、図面を参照して本発明のズームレンズ駆動装置、ズームレンズ撮像装置、ファインダ、カメラおよびズームレンズ駆動装置の制御方法を詳細に説明する。
図１〜図１５は、本発明のズームレンズ駆動装置一つの実施の形態に係るズームファインダの構成を示している。図１は、ズームファインダの平面図、図２は、ズームファインダの斜視図、図３は、図１のＡ−Ａ矢視断面図、図４は、図２、図３に示されるファインダカムのカム展開図、図５はファインダカムの斜視図、図６は、第２レンズに関連する部分の斜視図、そして図７は第２レンズと第３レンズの係合状態を示す図である。図８〜図１１は、広角（ワイド）時の光学系の状態を示しており、図８は平面図、図９は図８のＢ−Ｂ矢視断面図、図１０は側面図、そして図１１は図１０のＣ−Ｃ矢視断面図である。図１２〜図１５は、望遠（テレ）時の光学系の状態を示しており、このうち、図１２は平面図、図１３は図１２のＤ−Ｄ矢視断面図、図１４は側面図、そして図１５は図１４のＥ−Ｅ矢視断面図である。
【００１７】
図１〜図１５に示すズームファインダは、第１レンズ１、第２レンズ２、第３レンズ３、第４レンズ４、プリズム５、第５レンズ６（図８）、ファインダカム７、第１スプリング８、ファインダ枠９、第２スプリング１０（図３）、第３スプリング１１（図７）、第１レンズ軸１２、第２レンズ軸１３および第３レンズ軸１４（図８）を備えている。
第１レンズ１、第２レンズ２および第３レンズ３は、可動レンズであり、第４レンズ４は、固定レンズであり、第５レンズ６は、やはり固定の接眼レンズである。第１レンズ１、第２レンズ２および第３レンズ３は、いずれもレンズ本体にカムフォロワ１ａ、２ａおよび３ａを含む支持体が一体化されて構成され、図８に示すように、それぞれ第１レンズ軸１２、第２レンズ軸１３および第３レンズ軸１４に光軸方向に沿って移動自在に嵌合保持されている。また、第１レンズ１、第２レンズ２および第３レンズ３は、第１スプリング８、第２スプリング１０、ならびに第３スプリング１１により、所定方向に付勢され、ファインダカム７の３つのカム面７ａ、７ｂおよび７ｃにそれぞれ押し付けられてている。第１レンズ軸１２、第２レンズ軸１３および第３レンズ軸１４は、ファインダ枠９に保持されており、ファインダカム７は、光軸に平行な軸線を軸としてファインダ枠９に回転自在に保持されている。ファインダ枠９は、固定側の第４レンズ４、プリズム５および第５レンズ６も、固定保持している。
【００１８】
すなわち、ファインダカム７は、第１レンズ１のカムフォロア１ａが係合する第１カム面７ａ、第２レンズ２のカムフォロア２ａが係合する第２カム面７ｂおよび第３レンズ３のカムフォロア３ａが係合する第３カム面７ｃを有しており、第１レンズ１は、ファインダ枠９に固定された第１スプリング８により対物側から接眼レンズ側に向かって付勢されている。第２レンズ２と第３レンズ３は、これらの間に配設された第２スプリング１０によって、互いに引き合う方向に付勢され、ファインダカム７に設けられた第２カム面７ｂと第３カム面７ｃをそれぞれ押圧している。つまり第２レンズ２は、対物側から接眼レンズ側に向かって付勢され、そして第３レンズ３は、接眼レンズ側から対物側に向かって付勢されており、ファインダカム７に設けられた第２カム面７ｂは対物側に面しており、第３カム面７ｃは接眼レンズ側に面している。
ファインダカム７の端部に設けられたギヤ７ｄが、図示していない撮像系の鏡胴ユニットのズーム駆動装置に連結しており、ファインダカム７は、ズーム駆動装置の動作に連動して、回転駆動される。この回転により、第１レンズ１〜第３レンズ３は、カム面７ａ〜７ｃに追随し、光軸方向に沿って移動して変倍動作を行うことができる。
【００１９】
第１レンズ１〜第３レンズ３の位置精度は、カム面７ａ〜７ｃで摺動しているため、カム面７ａ〜７ｃの精度に依存している。具体的には、第２レンズ２と第３レンズ３の間隔は、それぞれのカムフォロア２ａと３ａの位置精度とそれぞれのカム面７ｂと７ｃの位置精度の和となる。レンズ間隔の誤差が与える焦点距離の誤差への影響が大きい場合、これら位置精度を高くすることは難しくなってくる。
図４は、この実施の形態のファインダカム７におけるカムの展開図であり、（ａ）は、ほぼ全体を示し、（ｂ）は(a)におけるＦ部の詳細を示している。第２レンズ２と第３レンズ３が最も接近する望遠（テレ）端において、第３レンズ３のカム面７ｃに逃げ７ｅが形成されている。図５に、ファインダカム７の斜視図が示されている。
また、図６に示されているように、第２レンズ２には、係合ボス２ｂが設けられており、望遠時に第３レンズ３が係合し得る形状となっている。広角側から望遠側までファインダカム７を駆動するときに、広角側から望遠側の直前までは第３レンズ３は、カム面７ｃに係合しており、それに追随して移動するが、望遠側の直前にて第２レンズ群２の係合ボス２ｂと係合することによって、カム面７ｃから係合が外れることとなる。このとき、第２レンズ２は、図７に示されるように、ファインダ枠９に固定されている第３スプリング１１によって付勢されてカム面７ｂから係合が外れないようになっている。第３レンズ３が第２レンズ２の係合ボス２ｂと係合することによって、第２レンズ２と第３レンズ３との間隔は、係合ボス２ｂの高さ精度と第３レンズ３の受け面の位置精度のみに依存し、高い位置精度を保つことが可能である。また、第２レンズ２の係合ボス２ｂは、第２レンズ２のレンズ本体と一体的に形成されているため高精度を得ることが可能であることは明らかである。図７は、第２レンズ２と第３レンズ３の係合状態を示している。
【００２０】
図８〜図１１は、広角側における光学系の各レンズの状態を示しており、図１２〜図１５は、望遠側における光学系の各レンズの状態を示している。
以上により、変倍範囲内において、レンズがカム面から係合が外れ、隣り合う別のレンズと係合することで、レンズ間隔を高い精度で保持することが可能となり、焦点距離の誤差が少ないファインダを提供することができる。
この実施の形態は、係合し合うレンズ（第２レンズ２と第３レンズ３）が両方とも可動レンズである場合について説明したが、第３レンズ３と固定レンズである第４レンズ４との間隔精度が必要な場合には、第４レンズ４に係合ボスを設け、第３レンズ３のカムを第１レンズ１側に向いた面とし、スプリングで第４レンズ４側に付勢してカム面に係合させ、第４レンズ４に近づいたときに係合ボスと係合させるようにすれば良い。
また、上述した実施の形態は、ズームファインダを例にとって説明したが、撮像素子を持つズームレンズ撮像装置においても、回転するカム筒に上述と同様のカム面の逃げと係合ボスを設けることによって、高いレンズ間隔精度を保ち、焦点距離の誤差が少ないズームレンズ撮像装置を容易に提供することができる。
【００２１】
さらに、上述した実施の形態に示したズームファインダおよび上述したズームレンズ撮像装置の少なくともいずれかを用いて焦点距離の誤差が少ないカメラを構成することができる。この場合において、変倍動作を、変倍範囲が分割された複数の点でのみ止まる、すなわちステップ的な変倍点にて変倍動作を行うズームレンズ駆動装置において、図４に示されたような、カムフォロアの係合が外れる個所と変倍点とを一致にしないように設定することによって、係合外れによるレンズ位置ずれが生じた状態で使用することがなく、係合が外れる際に生ずるおそれがあるレンズ位置ずれの影響を受けることがなく、安定でしかも焦点距離の誤差が少ないカメラとすることができる。
【図面の簡単な説明】
【００２２】
【図１】本発明のズームレンズ駆動装置一つの実施の形態に係るズームファインダの構成を示す平面図である。
【図２】図１のズームファインダの斜視図である。
【図３】図１のズームファインダのＡ−Ａ矢視断面図である。
【図４】図１のズームファインダのファインダカムのカム展開図であり、（ａ）はほぼ全体を示し、（ｂ）は（ａ）におけるＦ部の詳細を示す展開図である。
【図５】図１のズームファインダのファインダカムの斜視図である。
【図６】図１のズームファインダの第２レンズ部分の斜視図である。
【図７】図１のズームファインダの第２レンズと第３レンズの係合状態を示す図である。
【図８】図１のズームファインダの広角（ワイド）時の光学系の状態を示す平面図である。
【図９】図８のＢ−Ｂ矢視断面図である。
【図１０】図８の光学系の側面図である。
【図１１】図１０のＣ−Ｃ矢視断面図である。
【図１２】図１のズームファインダの望遠（テレ）時の光学系の状態を示す平面図である。
【図１３】図１２のＤ−Ｄ矢視断面図である。
【図１４】図１２の光学系の側面図である。
【図１５】図１４のＥ−Ｅ矢視断面図である。
【符号の説明】
【００２３】
１  第１レンズ
１ａ  カムフォロワ
２  第２レンズ
２ａ  カムフォロワ
２ｂ  ボス
３  第３レンズ
３ａ  カムフォロワ
４  第４レンズ
５  プリズム
６  第５レンズ
７  ファインダカム
７ａ  第１カム面
７ｂ  第２カム面
７ｃ  第３カム面
７ｄ  ギヤ
８  第１スプリング
９  ファインダ枠
１０  第２スプリング
１１  第３スプリング
１２  第１レンズ軸
１３  第２レンズ軸
１４  第３レンズ軸
【図１】
2006259395.tif 000003
【図２】
2006259395.tif 000004
【図３】
2006259395.tif 000005
【図４】
2006259395.tif 000006
【図５】
2006259395.tif 000007
【図６】
2006259395.tif 000008
【図７】
2006259395.tif 000009
【図９】
2006259395.tif 000010
【図１０】
2006259395.tif 000011
【図１１】
2006259395.tif 000012
【図１２】
2006259395.tif 000013
【図１３】
2006259395.tif 000014
【図１４】
2006259395.tif 000015
【図１５】
2006259395.tif 000016
【図８】
2006259395.tif 000017